(57)【要約】【課題】  エアコン室外機の設置において利用する据付け置き台で、樹脂製によって台形の形状を構成した据付け架台で、架台の天板に室外機を設置し、その脚座をワンタッチで固定するものである。よって螺子、ボルト等を使わず、作業効率を上げる架台を提供するものである。【解決手段】  樹脂製架台の天板の表面に、長手方向中心線に沿うように複数の掛止面を連続的に配設して、前記掛止面上をスライドできる係止片を設ける。よつて、エアコン室外機の脚を前記樹脂製架台の天板上に載せて、前記係止片スライドして前記脚を差込んで固定することができることを特徴とする。【選択図】図２
2008292127.tif 000002
【特許請求の範囲】
【請求項１】
エアコン室外機の左右一対脚を載せる樹脂製架台において、前記樹脂製架台天板上の前面より後面にかけて、長手方向中心線に沿うようにレール状を形成する。前記室外機脚を係止する係止片を設けて、前記係止片の下部はレール状を挟持できるように構成し、レール状上面をスライドできるように設けることで、前記室外機の脚を係止して固定することを特徴とする室外機のワンタッチ据付け架台。
【請求項２】
前記樹脂製架台天板上に、前記レール状を形成した上面に複数の掛止面と、前記掛止面の背側をスライド斜面にして連続的に配設する。前記掛止面を形成したレール状に室外機脚を係止する係止片の下部を挟持できるように構成する。
前記係止片の底面は前記レール状の掛止面と接触する面に掛止歯を設けて前記掛止面と係合し掛止めする。よって前記係止片が前記凹状面をスライドして前記脚を係止して固定できることを特徴とする請求項１に記載した室外機のワンタッチ据付け架台。
【請求項３】
樹脂製架台の天板上に凹状溝を長手方向中心線に沿うように形成する。前記凹状溝の内側突出部に複数の掛止できる掛止溝を連続的に配設する。前記凹状溝に前記室外機脚を係止する係止片の下部を挿入して、前記係止片に設けた掛止歯と内側突出部の前記掛止溝に掛止できるように設ける。
前記係止片は前記凹状溝の上面をスライドして前記脚を係止して固定できることを特徴とする室外機のワンタッチ据付け架台。
【請求項４】
樹脂製架台の天板上に凹状溝を長手方向中心線に沿うように形成する。前記凹状溝上面に複数の掛止面と、前記掛止面の背側をスライド斜面にして連続的に配設する。前記掛止面を形成した前記凹状溝に前記室外機脚を係止する係止片の下部を挿入する。前記係止片底面に前記凹状溝の掛止面と接触する面に掛止歯を設けて、前記掛止面と係合し掛止できるように設ける。
前記係止片は前記凹状溝の上面をスライドして前記脚を係止して固定できることを特徴とする室外機のワンタッチ据付け架台。
【請求項５】
前記樹脂製架台の天板上の後部面に係止片を固定した状態で設けて、室外機の後脚を差込み係止して、前脚はスライドできる係止片によって係止して固定、又は螺子等で固定できることを特徴とする室外機のワンタッチ据付け架台。
【発明の詳細な説明】
【技術分野】
【０００１】  本発明は、エアコンの室外機の架台装置において、室外機脚の固定に関するものである。
【背景技術】
【０００２】  従来、エアコン室外機（以後室外機と記載）を据付けにあたり、一般的にコンクリートブロック等が架台として利用されていた。しかしこれらは重量があり持運びに労力を使い作業効率が悪いものであった。【０００３】  そこで、これらのことを解決するものに、以下のようなものが広報によって知られている。
従来には、合成樹脂を素材とした断面略方形状の長尺筒体からなる据付けブロックの天板に該室外機を連結するボルトを係止する溝を長手方向に沿うように凹説してなる室外機の置台において、据付けブロックの底面の下面を粗面となした制振材を成層せしめてなる架台を提供されている。（例えば特許文献１）
また、室外機の前面側と背面側に突出した脚部形状と取付け構造を利用して脚部の支持、固定を簡便にするため、室外機の脚部を差込み固定する差込み部とその差込固定すると共にその露出脚部の保護カバーをして、更に背面側の固定を容易にする支持ピンを具備して一体成形した樹脂製の置台を提供されている。（例えば特許文献２）【０００４】
【特許文献１】  実開１９９３−４５３８９号広報
【特許文献２】  特開１９９９−１４１９２４号広報
【発明の開示】
【発明が解決しようとする課題】
【０００５】  しかしながら、従来の架台にも下記のような問題がある。
特許文献１において、室外機の脚と架台と固定、また取外しにおいて、ボルトにナットを締る、又は緩めるにおいて手間がかかる。特に狭い設置場所の背面の締付けは効率が悪いものである。
特許文献２において、室外機の脚と架台と固定の螺子締めにおいも作業効率が劣る。さらに室外機の奥行きの寸法によっては不向きである。
なお、脚座部分に水分が溜まりやすいことで脚を錆びやすいものである。【０００６】  そこで本発明は、家庭用エアコンの室外機の異なる寸法であっても、両脚部を置台上に設置できる樹脂製架台にして、前記樹脂製架台の天板上面に載せた両脚部を螺子やボルト使わず、天板上をスライドできる係止片によってワンタッチで固定して据付け作業効率よく行うようにするものである。
【課題を解決するための手段】
【０００７】  上記目的を達成するために、本発明はエアコン室外機の左右一対脚を載せる樹脂架台において、前記樹脂製架台天板上の前面より後面にかけて、長手方向中心線に沿うようにレール状を形成する。前記レール状の上に前記室外機脚を係止する係止片を設けて、前記係止片の下部はレール状を挟持できるように構成し、レール状上面をスライドできるように設けることで、前記室外機の脚をワンタッチで係止して固定することができることを特徴とする。【０００８】  上記請求項１から室外機を樹脂製架台に載せて、室外機脚を固定において係止片をスライドして前記脚を挟持することで設置工事ができることから作業時間の短縮ができるとともに取り外しも容易である。【０００９】  また、前記樹脂製架台天板上に、前記レール状を形成した上面に複数の掛止面と前記掛止面の背側をスライド斜面に形成して連続的に配設する。前記掛止面を形成したレール状に室外機脚を係止する係止片の下部を挟持できるように構成する。
前記係止片の底面は前記レール状の掛止面と接触する面に掛止歯を設けて前記掛止面と係合し掛止めする。よって前記係止片をスライドして前記脚を係止めし、前記係止片が前記脚よりズレルことなく固定できることを特徴とする。【００１０】  また、樹脂製架台の天板上に凹状溝を長手方向中心線に沿うように形成する。前記凹状溝の内側突出部に複数の掛止できる掛止溝を連続的に配設する。前記凹状溝に前記室外機脚を係止する係止片の下部を挿入して、前記係止片に設けた掛止歯と内側突出部の前記掛止溝が掛止できるように設ける。
前記係止片は前記凹状溝の上面をスライドして前記脚を係止して固定できることで、容易に設置が効率よくできることを特徴とする。【００１１】  また、樹脂製架台の天板上に凹状溝を長手方向中心線に沿うように形成する。前記凹状溝上面に複数の掛止面と、前記掛止面の背側をスライド斜面にして連続的に配設する。前記掛止面を形成した前記凹状溝に前記室外機脚を係止する係止片の下部を挿入する。前記係止片底面に前記凹状溝の掛止面と接触する面に掛止歯を設けて、前記掛止面と係合し掛止できるように設ける。
前記係止片は前記凹状溝の上面をスライドして前記脚を固定して設置することを特徴とする。【００１２】  上記請求項２、３また４において、室外機脚を固定する係止片をスライドして係止するときにおいて、前記係止片をスライドするさい掛止面によって戻ることを防ぐことで、室外機脚から前記係止片から外れることがないものである。【００１３】  また、前記樹脂製架台の天板上の後部面に係止片を固定した状態で設けて、前記係止片に室外機の後脚を差込み係止して、前脚はスライドできる係止片によって係止することで固定し設置することを特徴とする。【００１４】  上記請求項５において、後部面に固定状態で設けた係止片によって後脚を即座に係止することで、前脚のみをスライドできる係止片によって固定、又は螺子等で固定、又は螺子によって固定して設置することで、よりいっそう効率が上げることができる、とともに狭い現場において作業性がよいものである。
【発明の効果】
【００１５】  以上説明したように構成されているので、以下に記載されているような効果を奏する。【００１６】  請求項１記載の発明によれば、本発明の樹脂製架台に設置した外形寸法の異なる室外機の前後脚であっても、即座にスライド可能な係止片によって固定し設置ができる。また取り外しも容易であることから作業効率を上げることができる。【００１７】  請求項２、３また４記載の発明によれば、請求項１と同様の効果が得られる。
さらに、係止片によって係止めした室外機脚から、掛止面と掛止歯によって掛止片が安定した状態で設置できるものである。【００１８】  請求項５記載の発明によれば、樹脂製架台に載せて、室外機の背面側の後脚は固定係止片に差込むことで固定ができることから、前脚のみスライドの係止片で係止めするのみで、狭い設置場所のおいても容易に作業ができるものである。
【発明を実施するための最良の形態】
【００１９】  本発明の実施の形態について図面を参照して説明する。【００２０】  本発明に係る室外機の据付け樹脂製架台の第一実施例について図１を参照して説明する。
図１は本発明の室外機２４を載置する樹脂製架台１本体と係止片８の全体の斜視図である。【００２１】  図の１は室外機２４を載置する樹脂製架台であって、２は樹脂製架台１の上面の天板２である。
７は天板２の上一面に前面側３より後面側４に向かって長手方向中止線に沿って形成した凹状溝であって、前記凹状溝７の内にＴ形レール状６を形成する。前記凹状溝７とＴ形レール状６の上面は水平面となるように構成する。なお前記凹状溝７と前記Ｔ形レール状６を前面側３と後面側４を分離して形成することも可能である。
５はメジャー代わりに利用するものである。８は前記Ｔ形を咬持できるようにして、なおＴ形レール状６上をスライドできるように設けた係止片である。１１は室外機２４の脚２２、２３を係止めして固定する係止歯であって、係止片８の上面の裏側に設けるものである。【００２２】  したがって、上記構成により室外機２４を樹脂製架台１に利用する設置工事にあたり、室外機２４の前脚２２、後脚２３の寸法に合わることから、印字５を利用しながら所定の位置に載置する。この状態で室外機２４の後脚２３にたいして後係止片８をスライドして係止歯１１を後脚２３の上にして係止をする。その後前脚２２に対しても前記と同じ方法で係止することで、室外機２４を固定できるものである。【００２３】  また、図２、図３、図４及び図５は第２実施例を示すもので、図２は樹脂製架台１ａの中央に掛止面９を形成した、Ｔ形レール６ａに組込む掛止歯１３を備えた係止片８ａの全体の斜視図である。図３は凹状溝７ａとＴ形レール６ａ、及び係止部分を表した図２の正面図である。図４は係止片６ａの拡大図である。図５は図２の樹脂製架台１ａ本体のＡ−Ａ′の断面図、及び図４の係止片６ａのＢ−Ｂ′の断面図で、Ｘ方向にＴ形レール６ａに組込もうとする断面の側面図である。【００２４】  樹脂製架第台１ａの天板２の凹状溝７ａを前面側６３ａと後面側６４ａに長手方向に形成して、Ｔ形レール状６ａを前項記載したように構成する。ここで９は掛止溝及び９ａ掛止面であって、Ｔ形レール状６ａの上面に複数の掛止溝９と掛止面９ａとして、前記掛止面９の背側をスライド斜面１０に形成して連続的に配設する。
８ａは前記Ｔ形レール６ａのＴ形を咬持できるようにして、Ｔ形レール状６ａ上面の掛止面９と接触する掛止歯１３を構成した係止片である。
１２は係止片８ａを安定した状態にする安定板である。１０は係止片を取り出す孔である。【００２５】  したがって、上記構成により室外機２４を樹脂製架台１ａに載置して、前項記載のように後脚２３を後係止片６ａによって係止し、前脚２２も前係止片６ａを掛止面９ａ上にスライドしながら係止する。このとき各係止片６ａは掛止面９ａと掛止歯１３によってズレルことがなく室外機２４を固定することができる。
なお、室外機２４を樹脂製架台１ａより取外しにおいては、樹脂製架台１ａの側面である横を軽く叩きながら各脚２２、２３を係止片８ａより横に移動して外すか、図５に示すように、係止片８ａの後ろのＹ方向よりマイナスドライバーを差込み、掛止歯１３の歯をやや浮かしえて係止片８ａをバックさせ脚より外すことができる。【００２６】  また、図６、図７、図８、図９、図１０及び図１１は第３実施例を示すものっで、図６は樹脂製架台１ｂの天板２ｂに鋸状掛止溝１４を形成した要部斜面図である。図７は樹脂製架台１ｃの天板２ｃに半円状掛止溝１５を形成した要部斜面図である。図８は図６、図７に組込む鋸歯、半円歯係止片８ｂ、８ｃの斜視図である。図９は図６に組込む鋸歯係止片８ｂの平面図である。図１０は図７に組込む半円歯係止片８ｃの平面図である。図１１は前記係止片８ｂ、８ｃにおける分解図の側面図である。【００２７】  図６において、樹脂製架台１ｂの天板２ｂに凹状溝７ｂを長手方向中心線に沿って形成して、前記凹状溝７ｂの内部突出部１６に鋸状掛止溝１４と鋸状掛止面１４ａを有し、前記鋸状掛止面１４ａの背側をスライド状に形成して連続的に配設する。
前記凹状溝７ｂに挿入する鋸歯係止片８ｂにおいて、係止片上８１と係止片下８２に分離した構造で，螺子１８によって組まれているものである。また前記鋸歯係止片８ｂの内柱１９の両側面に前記鋸状掛止溝１４、鋸状掛止面１４ａに掛止めできる鋸掛止歯１７を設ける。【００２８】  したがって、図６に示した上記の構成により室外機２４を樹脂製架台１ｂに載置して、前項記載のように室外機２４の前脚２２、後脚２３を係止して固定することで設置できる。ここで室外機２４を樹脂製架台１ｂより取外しにおいては、止め螺子１８を緩めるか、取外すことで係止片上８１と係止片下８２が緩む、又は分離することで鋸係止片８ｂを外すことができるものである。【００２９】  図７は図６と同様の凹状溝７ｃの内部突出部に半円状掛止溝１５を形成して連続的に配設ける。前記凹状溝７ｃに挿入する半円歯係止片８ｃの組立構造は図１０及び図１１に示すものであるが、内柱１９に設ける掛止歯は半円掛止歯２０の構造である。【００３０】  したがって、図７に示した上記の構成により室外機２４を樹脂製架台１ｃに載置して前脚２２、後脚２３を前項記載と同様に固定、設置できるものである。
いま、前脚２２、後脚２３より半円歯係止片８ｃを外すとき、半円状掛止溝１５と半円掛止歯２０が半円状であることから、前記半円歯係止片８ｃを戻すだけでよい構造である。【００３１】  また、図１２、図１３は第４実施例を示すもので、図１２は樹脂製架台１ｄの天板２ｄに凹状溝７ｄを長手方向中心線に沿って形成して、前記凹状溝７ｄの上面に９１の掛止溝と９１の掛止面を設けて、前記掛止面９１の背側をスライド斜面に形成して連続的に配設する。
図１３は図１２の前記凹状溝７ｄに挿入する係止片８ｄの側面図である。前記係止片８ｄは係止片上８１ｄの下側の両側に掛止歯１３ｄを設ける。【００３２】  したがって、図１２に示した上記の構成により室外機２４を樹脂製架台１ｄに載置して前脚２２、後脚２３を前項記載と同様に固定、設置及び取外しができるものである。【００３２】  また、図１４は第５実施例を示すもので、図１４は樹脂製架台１ｅの天板２ｅの後面上に固定した係止片２１を設けた斜視図である。【００３３】  したがって、図１４に示した上記の構成により室外機２４を樹脂製架台１ｅに載置して、樹脂製架台１ｅの後部２３を軽くたたきながら固定係止片２１に差込むか、樹脂製架台１ｅを固定して室外機２４本体をずらしながら差込むことで、固定係止片２１の係止歯１１ｅによって固定する。
前脚は前記各項に記載した、スライドできる係止片によって固定するか、前脚２２のみ螺子止めによって固定して設置することができるものである。【００３４】  以上のことから、利用する工具を最小限にしながら室外機２４の設置工事ができ、時間短縮ができる。
また、狭い現場であっても効率を上げることができるものである。
【図面の簡単な説明】
【００３５】
【図１】  本発明の第一実施例を示す図で、係止片と樹脂製架台天板上に凹状溝とＴ形レールを設けた斜視図である。
【図２】  本発明の第二実施例を示す図で、図１のＴ形レール状のＴ形の上面に掛止面、溝を形成した樹脂製架台の斜視図である。
【図３】  第二実施例における正面図である。
【図４】  図３の係止片本体の斜視図である。
【図５】  図２におけるＡ−Ａ′の断面、及び図４におくるＢ−Ｂ′の断面の要部側面図である。
【図６】  本発明の第三実施例を示す図で、樹脂性架台天板の凹状溝に鋸状掛止溝を設けた要部斜視図である。
【図７】  本発明の第三実施例を示す図で、樹脂製架台天板の凹状溝に半円歯掛止溝を設けた要部斜視図である。
【図８】  第三実施例に組込む、係止片の斜視図である。
【図９】  鋸歯係止片の平面図である。
【図１０】  半円歯係止片の平面図である。
【図１１】  図８の構造の側面図である。
【図１２】  本発明の第四実施例を示す図で、樹脂製架台の斜視図である。
【図１３】  第四実施例に組込む、係止片の側面図である。
【図１４】  本発明の第五実施例を示す図で、樹脂製架台の斜視図である。
【図１５】  樹脂製架台に室外機を載置した側面図である。
【符号の説明】
【００３６】１、１ａ、１ｂ、１ｃ、１ｅは樹脂製架台        ２、２ａ、２ｂ、２ｃ、２ｅは天板
３は前面側                                    ４は後面側
５は位置設定メジヤー                          ６はＴ形レール
７は凹状溝                                    ８、８ａは係止片
８ｂは鋸歯係止片                              ８ｃは半円歯係止片
９、９ｄは掛止面                              １０、１０ｄは取出し孔
１１、１１ａ、１１ｂ、１１ｃ、１１ｅは掛止歯  １２、１２ａは安定板
１３、１３ｄは掛止歯                          １４は鋸状掛止溝
１４ａは鋸状掛止面                            １５は半円状掛止溝
１６は内側突出部                              １７は鋸掛止歯
１８は螺子                                    １９、１９ｄは内柱
２０は半円掛止歯                              ２１は固定係止片
２２は前脚                                    ２３は後脚
２４は室外機                                  ８１は係止片上
８２は係止片下
【図１】
2008292127.tif 000003
【図２】
2008292127.tif 000004
【図３】
2008292127.tif 000005
【図４】
2008292127.tif 000006
【図５】
2008292127.tif 000007
【図６】
2008292127.tif 000008
【図７】
2008292127.tif 000009
【図８】
2008292127.tif 000010
【図９】
2008292127.tif 000011
【図１０】
2008292127.tif 000012
【図１１】
2008292127.tif 000013
【図１２】
2008292127.tif 000014
【図１３】
2008292127.tif 000015
【図１４】
2008292127.tif 000016
【図１５】
2008292127.tif 000017